(57)【要約】      （修正有）【課題】留め固定力が強く、ウエストバンドにわたる張力の分散が効果的に行われ、ウエストバンドの歪みによりウエストバンド構造が弱まることがなく、着用者に不快感を与えない、衣料物品用ウエストバンドを提供する。【解決手段】少なくとも１本の縫い取り通し穴を備える衣料物品用ウエストバンド１００で、当該ウエストバンドに取り付けた第１の端部１０２および第２の端部１０４と、縫い取り通し穴を形成するステッチ１３０でウエストバンドに可動に連結した介在部とを含む、少なくとも１本の紐１１４を備え、縫い取り通し穴は、紐に印加される張力をウエストバンドの少なくとも一部分にわたって分散するように構成され、縫い取り通し穴は、ウエストバンド全体にわたって一続きの平行経路を形成し、紐１１４は縫い取り通し穴内で自由に移動可能である。【選択図】図１
2016169466.tif 000002
【特許請求の範囲】
【請求項１】
内面、外面、第１の端部、第２の端部、上部端縁、および下部端縁を含むウエストバンドを設けた骨盤領域と、
第１の端部、第２の端部、および該第１の端部と該第２の端部との間にある介在部を有する少なくとも１本の紐と、
前記衣料物品の前記骨盤領域に連結されて前記衣料物品を形成する一対の脚部と、
を備える衣料物品であって、
前記骨盤領域は、該衣料物品の着用状態において着用者の骨盤エリアを覆う、
衣料物品において、
前記紐の前記第１の端部および前記第２の端部は、前記ウエストバンドの前記第１の端部または前記第２の端部の少なくとも一方に固定して取り付けられ、
前記紐の前記介在部は、縫い取りステッチを用いて前記ウエストバンドの前記外面に可動に連結され、前記縫い取りステッチによって前記ウエストバンドの前記外面上に縫い取り通し穴を形成することにより、前記介在部は前記ウエストバンドの前記上部端縁および前記下部端縁について実質的に平行な方向に移動可能となり、前記縫い取り通し穴は、前記ウエストバンドの前記上部端縁および前記下部端縁に対して実質的に平行な複数の経路を形成し、前記縫い取り通し穴は、前記紐に印加される張力を前記ウエストバンドの少なくとも一部分にわたって分散するように構成した、衣料物品。
【請求項２】
前記ウエストバンドは、さらに、前記ウエストバンドの第１の端部に設けた第１の連結具と、前記ウエストバンドの第２の端部に設けた第２の連結具とを備え、前記第１の連結具および前記第２の連結具は、前記少なくとも１本の紐に張力を伝達するように構成した、請求項１に記載の衣料物品。
【請求項３】
前記第１の連結具および前記第２の連結具は、それぞれ、ランヤード（引き紐）を通すことのできる開口部を備える、請求項２に記載の衣料物品。
【請求項４】
前記第１の連結具および前記第２の連結具は、それぞれ、各連結具の少なくとも一部が前記ウエストバンドの前記外面から延在するように前記ウエストバンドに取り付けられる、請求項２に記載の衣料物品。
【請求項５】
前記ウエストバンドは、さらに、前記縫い取り通し穴に連結した複数のタックダウンを備える、請求項１に記載の衣料物品。
【請求項６】
前記縫い取り通し穴は複数の曲がり目（turn）を備える、請求項１に記載の衣料物品。
【請求項７】
前記ウエストバンドの前記上部端縁を折り返して前記ウエストバンドに接合することにより平滑な端縁を形成する、請求項１に記載の衣料物品。
【請求項８】
前記実質的に平行な経路のうち少なくとも１本は前記ウエストバンドの前記折り返した上部端縁によって覆われる、請求項７に記載の衣料物品。
【請求項９】
前記紐は合成繊維から形成される、請求項１に記載の衣料物品。
【請求項１０】
内面、外面、第１の端部、第２の端部、上部端縁、および下部端縁を含む、第１の織物と、
第１の端部、第２の端部、および該第１の端部と該第２の端部との間にある介在部とを有する第１の紐と、
第１の端部、第２の端部、および該第１の端部と該第２の端部との間にある介在部を有する第２の紐と、を備える衣料物品用ウエストバンドであって、
前記第１の紐において、前記第１の端部は第１の点において前記第１の織物の前記第１の端部に取り付けられ、前記第２の端部は第２の点において前記第１の織物の前記第１の端部に取り付けられ、前記介在部は縫い取りステッチを使用して前記第１の織物の前記外面に可動に連結され、前記縫い取りステッチは、前記第１の織物の前記外面上に第１の縫い取り通し穴を形成することにより、前記第１の紐の介在部を前記第１の織物の前記上部端縁および前記下部端縁について平行な方向に移動可能となり、前記第１の縫い取り通し穴は、前記第１の織物の前記上部端縁および前記下部端縁に対して実質的に平行な複数の経路を形成し、前記平行経路は前記第１の紐に印加される張力を前記ウエストバンドの少なくとも一部分にわたって分散するように構成され、
前記第２の紐において、前記第１の端部は第１の点において前記第１の織物の前記第２の端部に取り付けられ、前記第２の端部は第２の点において前記第１の織物の前記第２の端部に取り付けられ、前記介在部は、縫い取りステッチを使用して前記第１の織物の前記外面に可動に連結され、前記縫い取りステッチは、前記第１の織物の前記外面上に第２の縫い取り通し穴を形成することにより、前記第２の紐の介在部は前記第１の織物の前記上部端縁および前記下部端縁に平行な方向に移動可能となり、前記第２の縫い取り通し穴は、前記第１の織物の前記上部端縁および前記下部端縁に対して実質的に平行な複数の経路を形成し、前記平行経路は、前記第２の紐に印加される張力を前記ウエストバンドの少なくとも一部分にわたって分散するように構成される、衣料物品用ウエストバンド。
【請求項１１】
前記ウエストバンドは、前記ウエストバンドの第１の端部に設けた第１の連結具と、前記ウエストバンドの第２の端部に設けた第２の連結具とをさらに備え、前記第１の連結具および前記第２の連結具を前記第１の紐および前記第２の紐にそれぞれ張力を伝達するように構成した、請求項１０に記載の衣料物品用ウエストバンド。
【請求項１２】
前記第１の連結具および前記第２の連結具は、それぞれ、ランヤード（引き紐）を通すことのできる開口部を備える、請求項１１に記載の衣料物品用ウエストバンド。
【請求項１３】
前記第１の連結具および前記第２の連結具は、それぞれ、各連結具の少なくとも一部が前記ウエストバンドの前記外面から延在するように前記ウエストバンドに取り付けた、請求項１１に記載の衣料物品用ウエストバンド。
【請求項１４】
前記ウエストバンドは、前記第１の縫い取り通し穴および前記第２の縫い取り通し穴に連結した複数のタックダウンをさらに備える、請求項１０に記載の衣料物品用ウエストバンド。
【請求項１５】
各前記第１の縫い取り通し穴および前記第２の縫い取り通し穴は、複数の曲がり目を備える、請求項１０に記載の衣料物品用ウエストバンド。
【請求項１６】
前記ウエストバンドの前記上部端縁を折り返して前記ウエストバンドの前記外面に接合することにより平滑な端縁を形成する、請求項１０に記載の衣料物品用ウエストバンド。
【請求項１７】
前記第１の縫い取り通し穴および前記第２の縫い取り通し穴の前記実質的に平行な経路のうち少なくとも１本は前記ウエストバンドの折り返した前記上部端縁により覆われる、請求項１６に記載の衣料物品用ウエストバンド。
【請求項１８】
前記第１の紐および前記第２の紐は、
（１）合成繊維、
（２）天然繊維、または
（３）天然繊維および合成繊維の組み合わせ
のうちの１つから形成される、請求項１０に記載の衣料物品用ウエストバンド。
【請求項１９】
衣料物品を製造する方法であって、
内面、外面、第１の端部、第２の端部、上部端縁、および下部端縁を備えるウエストバンドを用意することと、
第１の端部、第２の端部、および介在部を有する少なくとも１本の紐を前記ウエストバンドに取り付けることと、
前記ウエストバンドを骨盤部に連結して前記衣料物品を形成することと、を含む方法において、
前記少なくとも１本の紐を前記ウエストバンドに取り付けることは、前記紐の前記第１の端部および前記第２の端部をそれぞれ前記ウエストバンドの前記第１の端部または前記第２の端部の一方に固定することと、前記紐の前記介在部を前記ウエストバンドの前記外面に縫合することにより前記介在部を前記ウエストバンドに可動に連結することとを含み、前記ステッチにより前記ウエストバンドの前記外面上に縫い取り通し穴を形成し、前記縫い取り通し穴は前記介在部に沿って延在し、前記縫い取り通し穴は、前記ウエストバンドの前記上部端縁と下部端縁との間に実質的に平行な複数の経路を形成するように縫合され、前記紐および縫い取り通し穴は、前記紐に印加される張力を前記ウエストバンドの少なくとも一部分にわたって伝達するように構成され、
前記ウエストバンドを骨盤部に連結して前記衣料物品を形成することにおいて、前記骨盤部は前記衣料物品の着用状態において着用者の胴体下部を覆うように適合され、前記骨盤部は、さらに、前記衣料物品の着用状態において着用者の脚の少なくとも一部を覆うように適合された一対の脚部を備える、
衣料物品を製造する方法。
【請求項２０】
前記ウエストバンドの第１の端部および前記ウエストバンドの第２の端部に第１の連結具および第２の連結具をそれぞれ取り付けることをさらに含む、請求項１９に記載の方法。
【発明の詳細な説明】
【技術分野】
【０００１】
本開示は、衣料物品用のウエストバンドに関する。より具体的には、本開示は、ウエストバンドに縫合した複数の糸から形成した縫い取り通し穴によってウエストバンドに留めた少なくとも１本の紐を含むウエストバンドに関し、紐はウエストバンドを介して可動であり、縫い取り通し穴はウエストバンドに張力を伝達するように構成される。
【背景技術】
【０００２】
ボードショーツ等の衣料物品用の従来型ウエストバンドは、多くの場合、引き紐付きウエストバンドを内蔵して、衣料物品を着用者に留める。引き紐付きウエストバンドには、衣料物品内部および周囲に沿って動く１本以上の紐を使用することが多い。紐は、多くの場合、引き締めたり締め付けたりして、ウエストバンドにかかる圧力を増加させてウエストバンドの周長を減少することにより、ウエストバンドを着用者に留めることができる。スナップ、フック、またはジッパー等のような従来の固定コンポーネントを備えるウエストバンドに比べ、引き紐付きウエストバンドはボリュームが抑えられる一方、引き紐付きウエストバンドには多くの不利な点がある。例えば、留め固定力が弱いこと、ウエストバンドにわたる張力の分散が最小限にしか行われない点、ウエストバンドの歪みによりウエストバンド構造が弱まる点、および着用者に不快感を与える点等である。
【発明の概要】
【０００３】
本概要においては、各構成概念の抜粋を簡略化した形で紹介するが、これらの構成概念は以下の詳細な説明においてさらに説明する。本概要は、請求項に記載した主題の主要な特徴または本質的な特徴を特定することを意図するものではなく、請求項に記載した主題の範囲を定める際の一助として使用することを意図するものでもない。本発明は、特許請求の範囲により特定する。
【０００４】
上位概念において、本明細書に記載した各態様は、少なくとも１本の紐を備えるウエストバンドに関し、この紐は、第１の位置においてウエストバンドに留めた第１の端部と、第２の位置においてウエストバンドに留めた第２の端部と、ウエストバンドの内面または外面に可動に留めた介在部と、を有するものである。本開示を通じて使用する「紐」という用語は、紐に軸方向に印加される張力を支持可能な任意のワイヤを指し、その例として、フライワイヤ、ケーブル、ランヤード、バインディング、ブレイド、ストリング、ストリップ、テープ、タイ、リガチャー、ライン、リンク、リボン、ロープ、ステー、ストラップ、または同様の構造物が挙げられる。紐は、天然繊維、または合成繊維をはじめとする人造繊維であってもよく、その例としてナイロン等がある。さらに、紐は、伸縮性または非伸縮性であってもよい。介在部は、ステッチ（縫合）等の留め要素によりウエストバンドに可動に留めることができる。この留め要素によって縫い取り通し穴を形成するが、この縫い取り通し穴は、紐をウエストバンドに留めつつ、縫い取り通し穴内で紐を縫い取り通し穴の軸方向に平行な方向に可動させることができるものである。紐の各端部は、二次的な裏張によりウエストバンドに留めてもよい。
【０００５】
留め要素の例としては、基材上に模様を縫製するのに使用可能な、ステッチ、フィラメント、紡ぎ糸、または糸を挙げることができる。基材は、ウエストバンドの外層とすることができ、留め要素の裏張は、ウエストバンドの外層と内層との間に位置する。縫い取り通し穴は、ウエストバンド上に一連の平行経路を形成してもよい。これらの平行経路は、ウエストバンドの上部端縁および下部端縁に対して平行であっても、および／または相互に平行であってもよい。ステッチは、さらに、ステッチに連結した複数のタックダウンを含み、縫い取り通し穴がほつれるのを防ぐ。本開示において使用する「タックダウン」という用語は、縫い取りに付属する構成部分を意味し、万一、縫い取りを形成するために使用したステッチが弱まり、切断し、損なわれ、または留まらなくなるようなことがあった場合に、縫い取りのほつれを防ぐものである。各縫い取り通し穴は、紐の介在部の長手方向に沿って続いており、縫い取り通し穴は、ウエストバンドの内面または外面の全体または一部に沿って、一連の平行経路またはチャネルを形成してもよい。縫い取り通し穴により、紐に加わる張力をウエストバンドの少なくとも一部分にわたって均一に分散可能となる。各縫い取り通し穴の数および配置については任意の構成とすることができ、他の縫い取り通し穴と別個にまたは錯綜して設けることができ、１つまたは多数の曲がり目を備えることができる。これらに対するあらゆる変更および任意の組み合わせは、本明細書における請求の範囲内として企図される。
【０００６】
例示的な一態様において、縫い取り通し穴を形成するステッチにより紐をウエストバンドに留めてもよい。紐の各端部は、ウエストバンドの同一端部または対向端部に固定してもよい。紐の介在部はウエストバンドに縫合してもよく、この縫合により縫い取り通し穴を形成する。縫い取り通し穴は、平行経路またはチャネルを形成することができ、各経路は、ウエストバンドの上部端縁および下部端縁について平行とすることができる。ウエストバンドの一端には紐の第１の端部を取り付けることができ、ウエストバンドの反対側の端部には紐の第２の端部を取り付けることができる。縫い取り通し穴は、ウエストバンドにわたって任意の数の経路または構成をとることができ、１つまたは多数の曲がり目または方向の変化を備える。
【０００７】
別の態様において、別々の縫い取り通し穴を形成するように構成したステッチで２本の紐をウエストバンドに縫合してもよい。第１の紐の第１の端部および第１の紐の第２の端部を、それぞれ、第１の位置および第２の位置において、ウエストバンドの第１の端部に取り付けた状態で、第１の紐をウエストバンドに留めてもよい。第２の紐の第１の端部および第２の紐の第２の端部を、それぞれ、第１の位置および第２の位置において、ウエストバンドの第２の端部に取り付けた状態で、第２の紐をウエストバンドに留めてもよい。各紐の介在部はウエストバンドに一続きに縫合して、ステッチにより、第１および第２の紐用の２つの別個の縫い取り通し穴が形成されるようにする。ここで、縫い取り通し穴は、各紐に印加される張力をウエストバンドの少なくとも一部分にわたって伝達するように構成する。各紐の第１の端部および第２の端部は、それぞれ、ウエストバンドの第１の端部および第２の端部に取り付けてもよい。すなわち、各紐の端部は、それぞれ、ウエストバンドの対向端部に取り付ける。
【０００８】
例示的な別の態様において、ランヤードまたはタイをウエストバンドの第１の端部および第２の端部に連結することにより、着用者は、ランヤードまたはタイからの張力を各紐に伝達し、続いてウエストバンドに張力を伝達することができる。ランヤードは、１つ以上の連結具を介して各ウエストバンド端部に接続してもよく、各接続用連結具の例としては、鳩目（アイレット）、開口、リンク機構、または他の機械的接続が挙げられる。１つ以上の縫い取り通し穴は、鳩目の周囲を部分的にまたは完全に囲むようにしても、または鳩目に連結してもよく、それによって、ランヤードと紐との間で張力を伝達し、続いてウエストバンドにも張力を伝達できる。紐の大きさ、紐を製造する材料、縫い取り通し穴を形成するために使用するステッチの分量および長さ、紐の介在部が通る縫い取り通し穴の数および向き、および連結具と紐との間で張力を伝達する方法は、所望の作用効果によって変更し得ることを当業者は理解すべきである。さらに、１つ以上の縫い取り通し穴によって得られる経路の数および配置に基づいて、ウエストバンドごとに、当該ウエストバンドにわたる張力の分散を変更または最適化することができる。
【図面の簡単な説明】
【０００９】
【図１】本発明の一態様による、少なくとも１本の紐をウエストバンドに可動に取り付けた少なくとも１本の縫い取り通し穴を備えるウエストバンドの正面立面図である。
【図２】本発明の一態様による、図１の少なくとも１本の縫い取り通し穴を備えるウエストバンドの第１の端部の拡大切断図である。
【図３】本発明の一態様による、図２の線３−３に沿ったウエストバンドの断面図であり、ウエストバンドの外面上に縫い取り通し穴を形成するステッチおよび紐を示す図である。
【図４】本発明の一態様による、図１に示すウエストバンドの背面立面図である。
【図５】本発明の一態様による、図１に示すウエストバンドの正面立面図であり、ウエストバンドの各端部に連結した少なくとも１本の縫い取り通し穴およびランヤードを示す図である。
【図６】本発明の一態様による、ウエストバンドに張力を伝達可能な、少なくとも１本の縫い取り通し穴および例示的な第１の連結具および第２の連結具を備える、図１に示すウエストバンドの正面立面図である。
【図７】本発明の一態様による、少なくとも１本の縫い取り通し穴と、図６に示す例示的な第１の連結具および第２の連結具と、一対の鳩目を介して第１の連結具および第２の連結具に連結したランヤードとを備える図１のウエストバンドの正面図である。
【図８】本発明の一態様による、図１に示すウエストバンドを組み込んだ衣料物品の正面立面図である。
【図９】本発明の一態様による、ウエストバンドを組み込んだ図８に示す衣料物品の背面立面図である。
【図１０】本発明の一態様による、衣料物品の正面立面図であり、図１に示すウエストバンドの上部端縁を折り返してウエストバンドの上部を平滑な端縁とした状態を示す図である。
【図１１】本発明の一態様による、図１０に示すウエストバンドの第１の端部の拡大図であり、縫い取り通し穴と、ランヤードを通すことのできる鳩目と、ウエストバンド上の縫い取り通し穴の上部の経路を覆って折り返したウエストバンドの上部端縁とを示す図である。
【図１２】本発明の一態様による、組立前の状態のウエストバンド外面の正面立面図であり、２本の紐および２本の縫い取り通し穴を有する紐構造の第１の例示的な配置を示す図である。
【図１３】本発明の一態様による、組立前の状態のウエストバンドの外面図であり、１本の紐および１本の縫い取り通し穴を含む紐構造の第２の例示的な配置を示す図である。
【図１４】本発明の一態様による、組立前の状態のウエストバンドの外面図であり、１本の紐および１本の縫い取り通し穴を有する紐構造の第３の例示的な配置を示す図である。
【図１５】本発明の一態様による、ウエストバンド上にステッチを用いて縫い取り通し穴を形成した、１本の紐の部分拡大図である。
【図１６】本発明の一態様による、ステッチによって形成した縫い取り通し穴とともに１本の紐を示す部分拡大図であり、縫い取り通し穴は紐上に断続的に離間したタックダウンを設けてステッチのほつれを防ぐようにした様子を示す図である。
【図１７】本発明の一態様による、ウエストバンドの表面上のステッチのほつれを防ぐように構成したタックダウンの拡大図である。
【図１８】本発明の一態様による、ウエストバンドに紐を留める縫い取り通し穴を有するウエストバンドを備える衣料物品を製造する方法のフロー図である。
【発明を実施するための形態】
【００１０】
本発明を添付の図面を参照して本明細書において詳細に説明する。
【００１１】
本明細書の各態様によれば、ウエストバンドを備える衣料物品が提供される。ウエストバンドは、当該ウエストバンドの一端または両端に取り付けた少なくとも１本の紐と、ウエストバンドに縫合した紐の介在部とを備え、各ステッチ（縫合）はウエストバンドの少なくとも一部分にわたって縫い取り通し穴を形成するように構成される。ウエストバンドの材料としては、ステッチを留めるのに適した生地または伸縮性のある織物、すなわち、ウエストバンド材料上にステッチを適切に保持可能なステッチの裏張としての使用に適したものとすることができる。ウエストバンドは、内層と外層を貼り合わせて形成してもよく、この２層間にステッチの裏張りを設けて、衣料物品が着用者に摩擦するのを防ぐ。各紐は、第１の端部、第２の端部、および介在部を備える。各紐の介在部は、１つまたは複数の留め要素を用いてウエストバンドの内面または外面に可動に連結することができるが、この留め要素の一例としてステッチが挙げられる。ステッチを用いて紐の介在部をウエストバンドに連結することができ、各ステッチは、ウエストバンドの内面または外面に１本以上の縫い取り通し穴を形成するように構成する。各縫い取り通し穴は、それぞれ、紐を留める一方で、紐を縫い取り通し穴の軸方向または軸方向パスに平行な方向に縫い取り通し穴内で動かせるようにする。ウエストバンドは、ウエストバンドの第１の端部および／または第２の端部に接続した連結コンポーネントをさらに備えることにより、連結具に印加した張力を紐に伝達し、続いてウエストバンドの少なくとも一部分に伝達できるようにしてもよい。縫い取り通し穴の構成によって、張力がウエストバンドにわたって均一に分散されることにより、着用者の快適性およびフィット感が向上する。
【００１２】
例示的な一態様において、ウエストバンドの少なくとも一部分にわたって延在する１本の縫い取り通し穴を介して、１本の紐をウエストバンドに留める。紐の第１の端部はウエストバンドの第１の端部に確実に取り付けてもよく、紐の第２の端部はウエストバンドの第２の端部に確実に取り付けてもよい。紐の介在部は、複数の縫い取りステッチを用いて、ウエストバンドの外面に可動に留めるかまたは連結すればよい。複数の縫い取りステッチは、紐の介在部にわたって個々に独立していても連続していてもよく、様々な代替パターンまたは配置をとることができる。複数の縫い取りステッチにより、紐の第１の端部から紐の第２の端部へと概ね連続した縫い取り通し穴、すなわち、紐の介在部に沿って概ね連続した縫い取り通し穴を形成することができる。この縫い取り通し穴により、縫い取り通し穴内で縫い取り通し穴の軸方向に平行な任意の方向に紐を動かすことができる。縫い取り通し穴は複数の曲がり目を備えることができ、ウエストバンドの少なくとも一部分にわたって平行経路を形成することができる。平行経路は往復させてもよく、ウエストバンドの上部端縁および下部端縁に平行としてもよい。
【００１３】
例示的な別の態様において、ウエストバンドに２本の紐を縫合してもよく、ウエストバンドの内面上または外面上に異なる２本の縫い取り通し穴を形成するようにステッチを構成する。その一例として、第１の紐および第２の紐を使用し、各紐は、それぞれ、第１の端部、第２の端部、および介在部を有する。第１の紐の第１の端部および第２の端部を、それぞれ、第１の紐の第１の端部および第２の端部に対応する第１の位置および第２の位置でウエストバンドに確実に取り付ける。第１の紐の介在部は、ウエストバンドの内面または外面に、複数の縫い取りステッチにより可動に取り付け、これらの縫い取りステッチにより第１の縫い取り通し穴が形成され、第１の紐が第１の縫い取り通し穴の軸方向に平行な任意の方向に縫い取り通し穴内において動かせるように第１の縫い取り通し穴を構成する。第２の紐の第１の端部および第２の端部は、それぞれ、第２の紐の第１の端部および第２の端部に対応する第１の位置および第２の位置でウエストバンドの第２の端部に確実に取り付ける。第２の紐の介在部は、ウエストバンドの内面または外面に、複数の縫い取りステッチによって可動に取り付け、これらの縫い取りステッチにより第２の縫い取り通し穴が形成され、第２の紐は第２の縫い取り通し穴内において当該縫い取り通し穴の軸方向に平行な方向のどちらにも動かせるように第２の縫い取り通し穴を構成する。紐の第１の端部および第２の端部は、二次的なバータックを用いてウエストバンドの端部に留めて、さらに確実に取り付けてもよい。
【００１４】
通し穴は、ウエストバンド上において様々な方法で配置することができる。通し穴は、ウエストバンドの一部分上に様々なパスまたは経路を形成する複数の曲がり目を備えることができる。通し穴は平行なチャネルまたは経路を形成するように配置することができ、これら平行なチャネルまたは経路は、さらに、ウエストバンドの上部端縁および下部端縁にも平行とすることができる。第１の通し穴および第２の通し穴は、それぞれの経路が錯綜しない状態でウエストバンドの別々の部分に配置することができる。そのような配置の一例として、ウエストバンドの第１の端部から起算してウエストバンドの中間地点までのウエストバンドの第１の半部に第１の縫い取り通し穴を位置付けることができる。ウエストバンドの第２の端部から起算してウエストバンドの中間地点までのウエストバンドの第２の半部に第２の縫い取り通し穴を位置付けることができる。第１および第２の縫い取り通し穴の間に分割部分を設けてもよく、分割部分には、縫い取りステッチまたは縫い取り通し穴が存在しない。
【００１５】
縫い取り通し穴は、様々な方法で構成または構築することができる。各縫い取り通し穴は、１つの長く連続したステッチ、複数の別個のステッチ、またはステッチおよび他の固定部品の組み合わせを用いて、紐を可動に備えることができる。それぞれのステッチの配置は、接近または離間した構成としてもよい。各通し穴は、さらに、各ステッチ間に断続的に離間して設けた複数のタックダウンを備えることができる。ダックダウンは、しっかりと留めた密に巻回したステッチの集群（バンチング）または一群とすることができ、万一ステッチが弱り、ほつれ、切断され、あるいは脱落または変位するようなことがあれば、縫い取り通し穴のほつれを防ぐ。他の周知の衣料用の縫い取りタックダウンを使用して、同様の効果を達成してもよい。縫い取り通し穴の端部は、二次的なバータック機を使用してさらに固定することができる。この二次的なバータックにより、縫い取り通し穴の各端部およびその内部にある各紐をウエストバンド上の一定の位置に留める。
【００１６】
ウエストバンドの上部端縁を折り返し、ウエストバンドの内面または外面に接着、縫合、あるいは留めて、縫い取り経路を部分的に覆い、ウエストバンド上に平滑な端縁を形成してもよい。例えば、上部端縁を折り返して、ウエストバンドの外面上において上部経路を形成する縫い取り通し穴の一部分を覆うことができる。このような態様においては、ウエストバンドの端縁を折り返すことにより覆われる縫い取り通し穴の当該部分にはタックダウンを設けなくてもよい。なぜなら、折り返して留めた部分が縫い取り経路のほつれを防ぐことになるからである。
【００１７】
ウエストバンドは、２層の材料、すなわち、第１の外層および第２の内層から形成することができ、各層は、それぞれ、内側および外側に向いた面を有する。縫い取り通し穴は、ウエストバンドの外層に縫い付けるが、このとき、外層の外側に向いた面に縫い取りを設け、当該縫い取りに対応する裏張りを外層の内側に向いた面に設ける。縫い取りの裏張りは、衣料物品の着用者にとって不快となる場合があるため、第２の内層を、第１の外層のウエストバンド断面における一部または全体的にわたって連結し、縫合し、糊付けし、あるいは接合し、衣料物品を着用した際に、衣料物品の着用者に対してより軟質な表面を提供する。
【００１８】
以下の各図に、本発明の様々な態様による衣料物品およびウエストバンドを示す。本明細書に記載した衣料物品は、好適な衣料物品のほんのわずかな例にすぎず、発明の使用範囲または機能に関していかなる限定を示唆することを意図するものでもない。例えば、図面には半ズボン（ショーツ）を示すが、本発明の衣料物品は、ズボンやカプリパンツ等をさらに含み得ることが企図される。衣料物品は、図面中に示した要素または特徴のいずれか一つまたはそれらの組み合わせに関して何らかの依存性または必要性を有するものとして解釈すべきではない。いくつかの要素を単数で示すが、それらは複数であってもよい。さらに、いくつかの要素を仮に複数として描写するが、実際には、それらは単数であってもよい。このことは、本開示全体を通して、これらの要素の説明に当てはまるものである。
【００１９】
図１に、本発明の一態様によるウエストバンド１００の正面立面図を示す。図１に示すように、ウエストバンド１００は、第１の端部１０２および第２の端部１０４と、ウエストバンドの内面１０６と、ウエストバンドの外面１０８と、ウエストバンドの上部端縁１１０と、ウエストバンドの下部端縁部１１２とを備える。ウエストバンド１００は、弾性織編物、伸縮性繊維材料、またはステッチを留めるのに好適な任意の他の材料を含むことができる。第１の紐１１４は、第１の位置１１８および第２の位置１２０でウエストバンドの第１の端部１０２に取り付ける。より具体的には、第１の紐１１４の第１の端部１２６を、第１の位置１１８で、ウエストバンドの第１の端部１０２に取り付け、第１の紐１１４の第２の端部１２８を、第２の位置１２０で、ウエストバンドの第１の端部１０２に取り付け、紐の第１の端部１２６および紐の第２の端部１２８を二次的なバータック１５４で留める（図２参照）。第２の紐１１６を第１の位置１２２および第２の位置１２４で第２の端部１０４に取り付ける。より具体的には、第２の紐１１６の第１の端部１２７を第１の位置１２２でウエストバンドの第２の端部１０４に取り付け、第２の紐１１６の第２の端部１２９を第２の位置１２４でウエストバンドの第２の端部１０４に取り付ける。第１の紐１１４をステッチ１３０でウエストバンド１００に可動に連結する。第２の紐１１６をステッチ１３２でウエストバンド１００に可動に連結する。第１の紐の端部１２６および端部１２８並びに第２の紐の端部１２７および端部１２９をウエストバンドの端部１０２および端部１０４に取りつけて、ウエストバンド１００または紐１１４および紐１１６に張力が印加された際に、各端部が確実に取り付けられて固定した状態を維持できるようにする。第１の紐の端部１２６および端部１２８並びに第２の紐の端部１２７および端部１２９をステッチもしくは他の機械的固定、接着、接合、熱処理によりウエストバンド１００に取り付けてもよく、あるいは紐の端部１２６、１２７、１２８、および１２９をウエストバンド１００に取り付けて、動力の影響を受けずにウエストバンド１００上の所定位置に留まらせるようにしてもよい。
【００２０】
図２に、本発明の一態様によるウエストバンドの第１の端部１０２の拡大図２００を示す。図２に示すように、ウエストバンドの外面１０８は、第１の位置１１８および第２の位置１２０でウエストバンドの外面１０８に取り付けた第１の紐１１４を備える。第１の位置１１８は、第１の紐の第１の端部１２６に対応し、第２の位置１２０は、第１の紐の第２の端部１２８に対応する。第１の紐の第１の端部１２６および第１の紐の第２の端部１２８を二次的なバータック１５４によりウエストバンド１００に留める。第２の紐１１６においても同様の配置とする。第１の紐の第１の端部１２６と第１の紐の第２の端部１２８との間に、第１の紐１１４の介在部１１９があり、介在部１１９を複数のステッチ１３０によりウエストバンド１００の外面１０８に可動に連結する。ステッチ１３０は、第１の縫い取り通し穴１３４を形成しており、第１の紐１１４は、縫い取り通し穴１３４を通って縫い取り通し穴１３４の軸方向に平行な方向に動かせる。図２において、ウエストバンドの第１の端部１０２上に示した縫い取り通し穴１３４は、第１の位置１１８から第２の位置１２０まで連続している。すなわち、縫い取り通し穴１３４は、第１の位置１１８と第２の位置１２０との間にいかなる間隙、破断、または中断も含まない。外面１０８は、ウエストバンド材料の厚みを貫通して延在する鳩目１３８も備える。例えば、図５においてより明確に示すように、鳩目１３８にランヤードを通して、第１の紐１１４に張力を伝達する。図示した第１の紐１１４は、各鳩目１３８のまわりを周回または部分的に包囲しているが、こうして鳩目１３８に印加される張力を受けることができる。第１の縫い取り通し穴１３４上に、多数のタックダウン１３６を使用して、ステッチ１３０のほつれを防ぐ。図２からわかるように、第１の縫い取り通し穴１３４はウエストバンド１００の外面１０８上に位置して、複数の平行経路１４０を形成する。平行経路１４０は、ウエストバンド１００の上部端縁１１０とウエストバンド１００の下部端縁１１２と間に位置しており、平行経路１４０は互いに実質的に平行である。
【００２１】
図３を参照すると、図３に、図２の切断線３−３に沿ったウエストバンド１００の断面図３００を示す。図３は、第１の紐１１４、およびウエストバンド１００の外面１０８に第１の紐１１４を可動に取り付けるステッチ１３０であり、本発明の一態様によるウエストバンド１００の外面１０８上に第１の紐の縫い取り通し穴１３４を形成するステッチ１３０を示す。ステッチ１３０を第１の紐１１４に重ね合わせて第１の縫い取り通し穴１３４を形成する一方、第１の紐１１４は、縫い取り通し穴１３４に平行な方向に縫い取りステッチ１３０内を摺動可能としている。
【００２２】
図４に、本発明の一態様によるウエストバンド１００の背面立面図４００を示す。図示した第１の紐１１４および第２の紐１１６は、第１の紐ステッチ１３０および第２の紐ステッチ１３２を用いてウエストバンド１００の外面１０８に可動に連結する。ここで、第１の紐ステッチ１３０は、第１の紐１１４を含む第１の縫い取り通し穴１３４を形成しており、第２の紐ステッチ１３２は、第２の紐１１６を含む第２の紐の縫い取り通し穴１４４を形成している。第１の縫い取り通し穴１３４および第２の縫い取り通し穴１４４は、それぞれ、ウエストバンドの上部端縁１１０とウエストバンドの下部端縁１１２との間に実質的に平行な複数の経路１４０を形成する。図４に示す構成において、第１の紐１１４が覆う領域は、第１の端部１０２からウエストバンド１００の周長の約１／２の長さであり、ウエストバンド１００の第１の半部１４６を含む、ウエストバンド１００の外面１０８の領域である。第２の紐１１６が覆う領域は、第２の端部１０４からウエストバンド１００の周長の約１／２の長さであり、ウエストバンド１００の第２の半部１４８を含む、ウエストバンドの外面１０８の領域である。ウエストバンド１００の第１の半部１４６上および第２の半部１４８上にある複数の平行経路１４０は分割部分１５０により分離されている。図示するとおり、分割部分１５０は、いかなる縫い取り通し穴も含まない。すなわち、縫い取り通し穴１３４および縫い取り通し穴１４４は、本態様において、分割部分１５０を横断しない。第１の紐の縫い取り通し穴１３４および第２の紐の縫い取り通し穴１４４は、それぞれ複数の曲がり目１４２を有し、各曲がり目は、複数の平行経路１４０を相互に分離するように作用し、縫い取り通し穴１３４および縫い取り通し穴１４４が分割部分１５０を横断することを防ぐように作用する。
【００２３】
図５に、本発明の一態様による縫い取り通し穴１３４および縫い取り通し穴１４４並びにウエストバンド１００の端部１０２および端部１０４に結合したランヤード１５２を含むウエストバンド１００の正面立面図５００を示す。ウエストバンドの第１の端部１０２は、ランヤード１５２を通すことができる第１の紐の鳩目１３８を備え、着用者がランヤードの第１の端部１５６を引っ張ると、ランヤード１５２に印加する張力の一部が第１の紐１１４に伝達される。ウエストバンドの第２の端部１０４は、ランヤード１５２を通すことができる第２の紐の鳩目１３９を含み、着用者がランヤードの第２の端部１５８を引っ張ると、ランヤード１５２に印加する張力の一部が第２の紐１１６に伝達される。第１の縫い取り通し穴１３４は、ウエストバンドの外面１０８上の第１の紐の鳩目１３８のまわりを周回または部分的に包囲して、第１の紐の鳩目１３８を固定配置し、第１の紐の鳩目１３８から第１の紐１１４に張力を伝達可能とする。第２の縫い取り通し穴１４４は、ウエストバンドの外面１０８上の第２の紐の鳩目１３９のまわりを周回または部分的に包囲して、第２の紐の鳩目１３９を固定配置し、第２の紐の鳩目１３９から第２の紐１１６に張力を伝達可能とする。第１の端部１０２および第２の端部１０４について、２つの鳩目のみを示すが、本明細書においては、第１の端部１０２および第２の端部１０４について、３つ以上の鳩目または１つ以下の鳩目が存在し得ることが企図される。
【００２４】
図６に、本発明の一態様による縫い取り通し穴１３４および１４４並びに例示的な第１の紐の連結具１６０および例示的な第２の紐の連結具１６２を含むウエストバンド１００の正面立面図６００を示す。連結具１６０および１６２は、別個の部品として形成してウエストバンド１００に連結してもよい。それぞれの部品は、接着剤、接合、ステッチ、面ファスナー等によりウエストバンド１００に連結した織物片または生地片とすることができる。また、連結具１６０および１６２はウエストバンド１００の一体部品として形成して、ウエストバンド１００の外面１０８から延在する連結具１６０および１６２とすることができる。いずれの構成においても、紐１１４および１１６は、それぞれ連結具１６０および１６２を通過することができ、連結具１６０および１６２により紐１１４および１１６を一体化することにより、連結具１６０および１６２から紐１１４および１１６にそれぞれ張力を伝達し、続いてウエストバンド１００の少なくとも一部分に張力を伝達できる。代替的な構成において、連結具１６０および１６２は、ウエストバンド１００の切り欠き部であってもよく、切り欠き部によって開口または他の取付部品を形成し、それらを通じてランヤード１５２のように張力伝達要素を結合できる。さらに、連結具１６０および１６２並びに当該連結具内に含まれる紐１１４および１１６を、連結具１６０および１６２の上方に近接して縫い取り通し穴１３４および１４４を覆う織物の上張り１６１を用いて、ウエストバンド１００に留めることもできる。織物の上張りは、連結具１６０および１６２の周りの紐構造を保護し、連結具１６０および１６２が高摩耗領域であることに起因する材料の劣化を防ぐ。織物の上張り１６１は、図６において紐１１４および１１６の下に点線で描写する。
【００２５】
図６を参照すると、ウエストバンド１００の着用者からの張力を受け、当該張力を第１の紐１１４に張力を伝達するように第１の連結具１６０を構成し、ウエストバンド１００の着用者からの張力を受け、当該張力を第２の紐１１６に伝達するように第２の連結具１６２を構成する。第１の紐の連結具１６０は、ウエストバンドの第１の端部１０２に近接して取り付け、第２の紐の連結具１６２は、ウエストバンドの第２の端部１０４に近接して取り付ける。図６に示すように、連結具１６０および１６２の別の実施形態において、各連結具１６０および１６２それぞれの厚みを貫通して延在する第１の紐の鳩目１３８および第２の紐の鳩目１３９を含むことができる。鳩目１３８および１３９を、例えばランヤード１５２のような張力伝達部品を受け入れるように、それぞれ構成する。鳩目１３８および１３９を、各連結具１６０および１６２の厚みを貫通するように構成することができ、ウエストバンド１００の厚みを貫通するように構成することもできる。鳩目１３８および１３９は種々の配置とすることができる。例えば、各連結具１６０および１６２上に、および／またはウエストバンドの端部上に１つの鳩目を配置する、もしくは各連結具１６０と１６２上に、および／またはウエストバンドの各端部１０２と１０４上に多数の鳩目を配置することができる。紐１１４および１１６を連結具１６０および１６２に一体化して鳩目１３８および１３９を包囲することにより、紐１１４および１１６並びに連結具１６０および１６２の間を連係することができる。
【００２６】
図７に、例示的な別の態様におけるウエストバンド１００の正面図を示す。ウエストバンド１００は、縫い取り通し穴１３４および１４４と、第１の紐１１４および第２の紐１１６に張力を伝達できる例示的な第１の連結具１６０および第２の連結具１６２と、ランヤード１５２とを備え、ランヤード１５２は、一対の鳩目１３８を介して第１の紐の連結具１６０に連結され、かつ、一対の鳩目１３９を介して第２の紐の連結具１６２に連結されている。図７に示すウエストバンド１００は、例示的な第１の紐の連結具１６０および例示的な第２の紐の連結具１６２をそれぞれ含むウエストバンドの第１の端部１０２およびウエストバンドの第２の端部１０４を有する。各連結具１６０および１６２は、ウエストバンド１００と一体形成するかまたは、ウエストバンド１００の外面１０８に取り付けた別個の部品を含むウエストバンド１００の表面から延在させることができる。図７において、ランヤード１５２は、ウエストバンドの第１の端部１０２およびウエストバンドの第２の端部１０４に、第１の連結具１６０および第２の連結具１６２を介してそれぞれ取り付けられている。より具体的には、ランヤード１５２を、第１の紐の鳩目１３８を介して第１の連結具１６０に通し、第２の紐の鳩目１３９を介して第２の連結具１６２に通す。第１の紐の連結具１６０および鳩目１３８を介して第１の紐１１４に張力の第１の部分を伝達するようにランヤードの第１の端部１５６を構成し、第１の紐の連結具１６０に印加する張力の第１の部分をウエストバンド１００の少なくとも一部分に伝達するように第１の紐１１４を構成する。ランヤードの第２の端部１５８は、第２の紐の連結具１６２および第２の鳩目１３９を介して第２の紐１１６に張力の第２の部分を伝達するように構成し、第２の紐１１６は、第２の紐１１６に印加する張力の第２の部分をウエストバンド１００の少なくとも一部分に伝達するように構成する。
【００２７】
図８は、本発明の一態様による１着の半ズボンである衣料物品８００の正面立面部である。図８では半ズボンを示すが、衣料物品８００は、さらに、着用者の胴体下部および下肢を覆う衣類、例えば、ズボン、カプリパンツ、およびその他の種類の衣類を含むことを企図するものである。衣料物品８００は、ウエストバンドの外面１０８に可動に連結した第１の紐１１４および第２の紐１１６を備えるウエストバンド１００を備える。衣料物品８００は、さらに、骨盤部１６４に連結したウエストバンド１００を備え、骨盤部１６４を脚部１６６に連結して１着の半ズボンを形成する。衣料物品８００の着用時に、骨盤部１６４が着用者の胴体下部を覆うように適合し、衣料物品８００の着用時に、脚部１６６が着用者の脚の一部または全体を覆うように適合する。いくつかの態様において、骨盤部１６４および脚部１６６は、１枚の織物材料で形成してもよく、代案として、骨盤部１６４および脚部１６６は、接合した複数枚の織物材料で形成してもよい。ウエストバンドの下部端縁１１２において、ステッチ、接合、接着剤等によりウエストバンド１００を骨盤部１６４に連結する。ウエストバンド１００は、衣料物品８００を着用者のウエストに留め、第１の紐１１４および第２の紐１１６に印加する張力をウエストバンド１００の少なくとも一部分にわたって分散するように構成する。例示的ないくつかの態様において、ウエストバンド１００の形成に使用する材料は、骨盤部１６４および脚部１６６の形成に使用する材料と同じであってもよい。代案として、ウエストバンド１００の形成に使用する材料は、骨盤部１６４および／または脚部１６６の形成に使用する材料と異なっていてもよい。
【００２８】
図９に、本発明の一態様による１着の半ズボンを含む衣料物品８００の部分背面立面図を示す。衣料物品８００は、ウエストバンドの外面１０８に可動に連結した第１の紐１１４および第２の紐１１６を備えるウエストバンド１００を備える。衣料物品８００は、脚部１６６に連結した骨盤領域である骨盤部１６４に連結したウエストバンド１００を備える。ウエストバンドの下部端縁１１２において、ウエストバンド１００を骨盤部１６４に連結する。衣料物品８００の後部は、ウエストバンドの第１の半部と第２の半部との分割部分１５０を有するウエストバンド１００の裏面を示し、分割部分１５０は、第１の紐の縫い取り通し穴１３４と第２の紐の縫い取り通し穴１４４とを分けるものである。
【００２９】
図１０に、本発明の一態様によるウエストバンド１００の上部に平滑な縁部１６８を形成するように折り返した、ウエストバンド１００の上部端縁１１０を示す衣料物品１０００の正面立面図を示す。より具体的には、ウエストバンドの上部端縁１１０をウエストバンド１００の外面１０８側に折り返し、例えば、接着剤、ステッチ、接合等を用いて外面１０８に留める。本構成において、ウエストバンド１００の折り返した上部端縁１１０により、実質的に平行な複数の経路１４０のうち上部の縫い取り経路１７０を覆う。こうすれば、上部の縫い取り経路１７０については、タックダウン１３６を全く必要とせずに、上部の縫い取り経路１７０を留めることができる。他の縫い取り経路１４０にはタックダウン１３６を備えて、ウエストバンドの外面１０８上の縫い取り通し穴１３４および１４４がほつれるのを防ぐようにすればよい。
【００３０】
図１１に、本発明の一態様による、図１０のウエストバンド１００の拡大図１１００を示す。図１１は、ウエストバンド１００上の縫い取り通し穴１３４の上部経路１７０を覆うウエストバンド１００の折り返した上部端縁１１０を示す。図１１にはタックダウン１３６が示されていないが、縫い取り通し穴１３４には任意の数のタックダウン１３６を所望の任意の間隔で連結することができる。ウエストバンド１００の折り返した上部端縁１１０により上部の経路１７０を覆って留めるため、上部の経路１７０にはタックダウン１３６を設けなくてもよい。あるいくつかの態様において、折り返した上部端縁部１１０は、上部経路１７０に加えて、縫い取り通し穴１３４の複数の経路１４０を覆ってもよい。
【００３１】
ここで、図１２〜図１４に、本明細書の各態様による複数の例示的な紐配置を示す。まず、図１２に、本発明の一態様によるウエストバンドの外面１０８上に２本の紐１１４および１１６並びに縫い取り通し穴１３４および１４４を有する紐構造の第１の配置１２００を示す。図１２に示す配置は、ウエストバンド１００に関連して示す配置と同様であってもよい。図１２に、ウエストバンドの第１の端部１０２およびウエストバンドの第２の端部１０４を備えるウエストバンド１００を示す。第１の位置１１８および第２の位置１２０において、第１の紐１１４をウエストバンドの第１の端部１０２に取り付ける。第１の紐１１４の介在部１１９を、第１の紐ステッチ１３０によりウエストバンドの外面１０８に可動に連結する。第１の紐ステッチ１３０は、ウエストバンド１００の前半部１４６上に平行経路１４０を形成する第１の縫い取り通し穴１３４を形成する。第２の紐１１６を第２の紐ステッチ１３２により第１の位置１２２および第２の位置１２４でウエストバンドの第２の端部１０４に取り付ける。第２の紐１１６の介在部１２３をウエストバンドの外面１０８に可動に連結する。第２の紐ステッチ１３２は、ウエストバンド１００の後半部１４８上に平行経路１４０を形成する第２の縫い取り通し穴１４４を形成する。ウエストバンドの構成１２００において、第１の縫い取り通し穴１３４および第２の縫い取り通し穴１４４を分割部分１５０によりウエストバンド１００上で分離する。第１の縫い取り通し穴１３４は、ウエストバンドの第１の端部１０２から分割部分１５０までのウエストバンド１００の前半部１４６上に位置する。第２の縫い取り通し穴１４４は、第２の端部１０４から分割部分１５０までのウエストバンド１００の後半部１４８上に位置する。したがって、ウエストバンドの配置１２００は、ウエストバンドの外面１０８上に第１の縫い取り通し穴１３４を形成する、ステッチ１３０を有する第１の紐１１４と、ウエストバンドの外面１０８上に第２の縫い取り通し穴１４４を形成する、ステッチ１３２を有する第２の紐１１６とを含み、各縫い取り通し穴はウエストバンド１００の前半部１４６または後半部１４８上のいずれかに位置する。
【００３２】
図１３に、本明細書の態様において使用できる代替的な配置１３００を示す。図１３において、ウエストバンドは、ウエストバンドの第１の端部１０２およびウエストバンドの第２の端部１０４を備える。第１の紐１１４は、第１の紐の第１の端部の位置１７２においてウエストバンドの第１の端部１０２に取り付ける。第１の紐１１４は、第１の紐の第２の端部の位置１７４においてウエストバンドの第２の端部１０４に取り付ける。第１の紐１１４の介在部１１９を複数のステッチ１３０によりウエストバンドの外面１０８に可動に連結して、第１の縫い取り通し穴１３４を形成する。第１の縫い取り通し穴１３４は、ウエストバンドの上部端縁部１１０とウエストバンドの下部端縁部１１２との間に一連の平行経路１４０を形成する複数の曲がり目１４２を備える。経路１４０は、相互に実質的に平行とるすことができ、および／またはウエストバンドの上部端縁１１０およびウエストバンドの下部端縁１１２に平行とすることができる。各経路１４０は、ウエストバンドの一部、すなわち、ウエストバンドの第１の端部１０２からウエストバンドの第２の端部１０４にわたって、またはウエストバンドの略全長にわたって、延在することができる。図１３に示すウエストバンドの構成１３００において、第１の縫い取り通し穴１３４は、ウエストバンドの外面１０８上を第１の紐の第１の端部の位置１７２から第１の紐の第２の端部の位置１７４まで連続している。ウエストバンドの第１の端部１０２および第２の端部１０４は、鳩目１３８および１３９をさらに備えることができ、張力を第１の紐１１４に伝達し、続いて、ウエストバンドに伝達する。第１の縫い取り通し穴１３４は、ウエストバンドの外面１０８上の各鳩目１３８および１３９のまわりを周回または部分的に包囲する。第１の紐の第１の端部の位置１７２は、ウエストバンドの下部端縁１１２に近接する地点において、ウエストバンドの第１の端部１０２上に位置付けることができ、ウエストバンドの下部端縁１１２から始まりウエストバンドの上部端縁１１０に続く経路１４０を形成可能とする。第１の紐の第２の端部の位置１７４をウエストバンドの上部端縁１１０に近接する地点に位置させて、経路１４０がウエストバンドの上部端縁１１０に向かって終端するようにする。代替的な配置として、第１の紐の第１の端部の位置１７２をウエストバンドの上部端縁１１０に近接する点とし、第１の紐の第２の端部の位置１７４をウエストバンドの下部端縁１１２に近接する点としてもよい。ウエストバンドの第１の端部１０２上における第１の紐の第１の端部の位置１７２およびウエストバンドの第２の端部１０４上における第１の紐の第２の端部の位置１７４、並びにウエストバンドの第１の端部１０２とウエストバンドの第２の端部１０４との間の残りのウエストバンドの外面１０８上における経路１４０の配置を選択することにより、当業者は、多数の配置を創造できる。
【００３３】
図１４に、本明細書の態様において使用できる代替的な配置１４００を示す。図１４において、第１の紐の第１の端部の位置１７２および第１の紐の第２の端部の位置１７４は、同一垂直面において、ウエストバンドの上部端縁１１０付近に位置する。第１の紐の第１の端部の位置１７２および第１の紐の第２の端部の位置１７４は、第１の端部１０２および第２の端部１０４上にそれぞれ位置する。ウエストバンドの外面１０８に、ステッチ１３０によって、介在部１１９を可動に連結して、複数の曲がり目１４２を含む縫い取り通し穴１３４を形成し、複数の曲がり目１４２は、ウエストバンドの外面１０８上に複数の実質的に平行な経路１４０を形成する。第１の紐１１４は、ステッチ１３０によって、外面１０８に可動に留めることができ、ウエストバンド１００の前半部１４６上に複数の第１の経路１７６を形成し、ウエストバンド１００の後半部１４８上に複数の第２の経路１７８を形成する。複数の第１の経路１７６および第２の経路１７８は、分割部分１５０にわたって進み、第１の紐の第１の端部の位置１７２および第１の紐の第２の端部の位置１７４までの第１の紐１１４間の連続的な接続を維持する第１の縫い取り通し穴の連係部分１８０により、第１の紐の第１の端部の位置１７２と第１の紐の第２の端部の位置１７４との間にある第１の紐１１４の介在部１１９を可動に留める連続的な通し穴を形成する。連係部分１８０を複数の第１の経路１７６および複数の第２の経路１７８中の異なる経路１４０の間に位置させて、多数の異なる配置が形成できることは、当業者によって理解されよう。
【００３４】
図１５に、本発明の一態様による縫い取り通し穴１３４を形成するのに使用したステッチ１３０を有するウエストバンド１００の紐１１４の部分拡大図１５００を示す。図１５において、第１の紐１１４をウエストバンド１００に可動に留めるステッチ１３０であって、第１の紐１１４がステッチ１３０を通って摺動または移動可能とするステッチ１３０を有する第１の紐１１４の断面を示す。これにより、第１の紐１１４と縫い取り通し穴１３４を形成するステッチ１３０との間に可動な連結が形成される。
【００３５】
図１６に、本発明の一態様による、ステッチ１３０中に断続的に離間したタックダウン１３６を有する縫い取り通し穴１３４を形成するのに使用したステッチ１３０を有する紐１１４の一部の拡大図１６００を示す。第１の紐１１４をステッチ１３０でウエストバンド１００に可動に連結し、ステッチ１３０は、第１の紐１１４上を交差被覆して、ステッチ１３０は断続的な位置に一続きのタックダウン１３６を含む。タックダウン１３６は、ステッチ１３０が弛んだ部分のほつれを防ぎ、ステッチ１３０よりも密接形成した配置となるように構成する。タックダウン１３６は、縫い取り通し穴１３４に沿って位置させるか、または多数の異なる構成で別の配置とすることが可能であることは、当業者にとって容易に明白となるだろう。
【００３６】
図１７に、本発明の一態様によるウエストバンド１００の外面１０８上のタックダウン１３６の拡大図を示す。図１７は、第１の紐１１４および第１の紐１１４をウエストバンド１００に留めて、断続的に離間したタックダウン１３６を有する連続的な縫い取り通し穴１３４を形成するステッチ１３０の別の拡大図を提供する。ステッチ１３０は、各タックダウン１３６の直前まで連続的に交互するジグザグ状に第１の紐１１４を覆ってもよい。タックダウン１３６を備えるステッチ１３０は非常に堅固かつ高密度であり、縫い取り通し穴１３４が破損する、弛まる、または損なわれる、もしくは縫い取りが解けてしまった際に、縫い取り通し穴のステッチ１３０がほつれたり解けたりするのを抑制する。
【００３７】
図１８に、ウエストバンドを備える衣料物品を製造する方法１８００のフロー図を示す。ウエストバンドの例としては、例えば、図１に示すようなウエストバンド１００であって、図１に示す縫い取り通し穴１３４等の縫い取り通し穴を用いてウエストバンドに可動に留めた図１に示す紐１１４等の紐を有するものが挙げられる。本方法により形成した衣料物品は、本明細書に記載した衣料物品８００であってもよく、または別の衣料物品であってもよい。
【００３８】
ステップ１８１０において、例えば図１に示す第１の端部１０２等の第１の端部と、例えば図１に示す第２の端部１０４等の第２の端部と、例えば図１に示す外面１０８等の外面と、例えば図１に示す内面１０６等の内面と、例えば図１に示す上部端縁１１０等の上部端縁と、例えば図１に示す下部端縁１１２等の下部端縁とを有するウエストバンドを用意する。
【００３９】
ステップ１８１２において、例えば図１に示す第１の端部１２６等の第１の端部と、例えば図１に示す第２の端部１２８等の第２の端部と、例えば図１に示す介在部１１９等の介在部とを有する少なくとも１本の紐をウエストバンドに取り付ける。少なくとも１本の紐をウエストバンドに取り付けるとは、紐の第１の端部および第２の端部を、それぞれ、ウエストバンドの第１の端部または第２の端部のどちらか一方に固定すること、およびウエストバンドの外面に介在部を縫合することにより、紐の介在部をウエストバンドに可動に連結することとを含む。縫合とは、例えば、図１に示すステッチ１３０等のステッチによりウエストバンドの外面上に縫い取り通し穴を形成し、縫い取り通し穴は、介在部に沿って延在し、例えば図１に示す平行経路１４０等の複数の実質的に平行な経路を、ウエストバンドの上部端縁と下部端縁との間に形成するように縫い取り通し穴を縫合する。ここで、紐および縫い取り通し穴は、ウエストバンドの少なくとも一部分にわたって印加される張力を伝達するように構成する。
【００４０】
ステップ１８１４において、例えば図８に示す骨盤部１６４等の骨盤部にウエストバンドを連結して、衣料物品を形成する。骨盤部は、衣料物品の着用時に着用者の胴体下部を覆うように適合され、骨盤部は、例えば図８に示す脚部１６６等の一対の脚部をさらに備え、衣料物品の着用時に着用者の脚の少なくとも一部を覆うように適合する。
【００４１】
上記の記載から、本発明は、本明細書の冒頭において自明かつ構造に固有な他の利点とともに明記した全ての目的および目標を達成するために好適なものであることが分かるであろう。特定の特徴点および部分的組み合わせ（サブコンビネーション）は、有用であり、かつ、他の特徴および部分的組み合わせを参照することなく使用可能であることが理解されよう。これは、特許請求の範囲によって企図されるものであり、特許請求の範囲内である。本発明の範囲から逸脱することなく、本発明に基づく幾多の考えられうる実施形態をなすことができるため、本明細書に明記事項または添付の図面において示した事項は、全て、例示的かつ非限定的なものとして解釈されるべきであることを理解すべきである。
【図１３】
2016169466.tif 000003
【図１８】
2016169466.tif 000004
【図１】
2016169466.tif 000005
【図２】
2016169466.tif 000006
【図３】
2016169466.tif 000007
【図４】
2016169466.tif 000008
【図５】
2016169466.tif 000009
【図６】
2016169466.tif 000010
【図７】
2016169466.tif 000011
【図８】
2016169466.tif 000012
【図９】
2016169466.tif 000013
【図１０】
2016169466.tif 000014
【図１１】
2016169466.tif 000015
【図１２】
2016169466.tif 000016
【図１４】
2016169466.tif 000017
【図１５】
2016169466.tif 000018
【図１６】
2016169466.tif 000019
【図１７】
2016169466.tif 000020
【外国語明細書】
2016169466000001.pdf